(57)【特許請求の範囲】
【請求項１】
それぞれ少なくとも２個の末端重合性基を有する少なくとも２種の液晶モノマーを有する、光重合によって架橋しうる液晶混合物中における、傾斜ドメインの形成の減少を達成するための、少なくとも１種の非液晶性モノマーの使用であって、
非液晶性モノマーが、一般式IV：
【化１】
0004832639.tif 000007
（式中、
Ｄは、シクロプロパンジイル、シクロブタンジイル、シクロペンタンジイル、シクロヘキサンジイル、１，３−ジオキサン−２，５−ジイル；非置換か、あるいは場合によっては、フッ素、塩素、シアノ、ニトロ、または２４個までの炭素原子を有するアルキル基もしくはアルケニル基（１個もしくは２個以上の隣接しないＣＨ2基が、基−Ｏ−、−Ｓ−、−ＣＯ−、−Ｏ−ＣＯ−、−ＣＯ−Ｏ−および−Ｃ≡Ｃ−からなる群より選ばれる基で置き換えられていてもよく、１個もしくは２個以上の水素原子が、場合によっては、フッ素、塩素、シアノで置換されていてもよい）で置換されているフェニレン；あるいはピリジン−２，５−ジイル、ピリミジン−２，５−ジイル、ピペリジン−１，４−ジイル、ピペラジン−１，４−ジイル、チオフェニレン、［１，３，４］チアゾールジイルまたは［１，３，４］オキサジアゾールジイルを表し；
Ｆ1およびＦ2は、場合によっては、フッ素、塩素、炭素原子１〜６個を有する直鎖状もしくは分岐状のアルキルまたはシアノによってモノもしくはポリ置換されている直鎖状アルキレン基を表し、その１個もしくは２個以上の隣接しないＣＨ2基が、−Ｏ−、−ＣＯＯ−、−ＯＯＣ−、−ＮＲ3−、−ＮＲ3−ＣＯ−、−ＣＯ−ＮＲ3−、−ＮＲ3−ＣＯＯ−、−ＯＣＯ−ＮＲ3−、−ＮＲ3−ＣＯ−ＮＲ3−、−ＣＨ＝ＣＨ−、−Ｃ≡Ｃ−、−Ｏ−ＣＯＯ−から選択される結合原子もしくは基で、または式：
【化２】
0004832639.tif 000008
の鎖で置き換えられていてもよく、
ここで、Ｒ3は、水素または炭素原子１〜６個を有する直鎖状又は分岐状のアルキルを表し、ｗ′は、０〜２の整数であるが、但しＦ1およびＦ2において、炭素原子とそれらを置換するヘテロ原子の合計数は４０を越えず；
Ｐ7およびＰ8は、他から独立して、場合によっては、メチル、メトキシ、シアノおよび／もしくはハロゲンで置換されていてもよい、アクリラート、メタクリラート、２−クロロアクリラート、２−フェニルアクリラート、アクリロイルフェニレン、アクリルアミド、メタクリルアミド、２−フェニルアクリルアミド、エポキシ、イタコン酸エステル、ビニルオキシ、ビニルオキシカルボニル、スチリル、マレアート、フマラートまたはシンナマートから選択される架橋性基を表し；
ｑ′は、０または１であり；そして
ｌ′、ｏ′およびｐ′は、ｌ′＋ｏ′＋ｐ′≧１であるという前提で、０または１であり；ｑ′が０であるとき、ｏ′およびｐ′が０であり、そしてＦ1は、場合によっては、フッ素、塩素、炭素原子１〜６個を有する直鎖状もしくは分岐状のアルキルまたはシアノによってモノもしくはポリ置換されている直鎖状アルキル基を表し、その１個もしくは２個以上の隣接しないＣＨ2基が、−Ｏ−、−ＣＯＯ−、−ＯＯＣ−、−ＮＲ3−、−ＮＲ3−ＣＯ−、−ＣＯ−ＮＲ3−、−ＮＲ3−ＣＯＯ−、−ＯＣＯ−ＮＲ3−、−ＮＲ3−ＣＯ−ＮＲ3−、−ＣＨ＝ＣＨ−、−Ｃ≡Ｃ−、−Ｏ−ＣＯＯ−から選択される結合原子もしくは基で、または式：
【化３】
0004832639.tif 000009
の鎖で置き換えられていてもよい）
の化合物であることを特徴とする、使用。
【請求項２】
少なくとも１種の非液晶性モノマーを、架橋の前に混合物に添加することを含む、それぞれ少なくとも２個の末端重合性基を有する少なくとも２種の液晶モノマーを含む液晶混合物の架橋によって製造される液晶ポリマーフィルムにおける、傾斜ドメインの形成を減少させる方法であって、
非液晶性モノマーが、一般式IV：
【化４】
0004832639.tif 000010
（式中、
Ｄは、シクロプロパンジイル、シクロブタンジイル、シクロペンタンジイル、シクロヘキサンジイル、１，３−ジオキサン−２，５−ジイル；非置換か、あるいは場合によっては、フッ素、塩素、シアノ、ニトロ、または２４個までの炭素原子を有するアルキル基もしくはアルケニル基（１個もしくは２個以上の隣接しないＣＨ2基が、基−Ｏ−、−Ｓ−、−ＣＯ−、−Ｏ−ＣＯ−、−ＣＯ−Ｏ−および−Ｃ≡Ｃ−からなる群より選ばれる基で置き換えられていてもよく、１個もしくは２個以上の水素原子が、場合によっては、フッ素、塩素、シアノで置換されていてもよい）で置換されているフェニレン；あるいはピリジン−２，５−ジイル、ピリミジン−２，５−ジイル、ピペリジン−１，４−ジイル、ピペラジン−１，４−ジイル、チオフェニレン、［１，３，４］チアゾールジイルまたは［１，３，４］オキサジアゾールジイルを表し；
Ｆ1およびＦ2は、場合によっては、フッ素、塩素、炭素原子１〜６個を有する直鎖状もしくは分岐状のアルキルまたはシアノによってモノもしくはポリ置換されている直鎖状アルキレン基を表し、その１個もしくは２個以上の隣接しないＣＨ2基が、−Ｏ−、−ＣＯＯ−、−ＯＯＣ−、−ＮＲ3−、−ＮＲ3−ＣＯ−、−ＣＯ−ＮＲ3−、−ＮＲ3−ＣＯＯ−、−ＯＣＯ−ＮＲ3−、−ＮＲ3−ＣＯ−ＮＲ3−、−ＣＨ＝ＣＨ−、−Ｃ≡Ｃ−、−Ｏ−ＣＯＯ−から選択される結合原子もしくは基で、または式：
【化５】
0004832639.tif 000011
の鎖で置き換えられていてもよく、
ここで、Ｒ3は、水素または炭素原子１〜６個を有する直鎖状又は分岐状のアルキルを表し、ｗ′は、０〜２の整数であるが、但しＦ1およびＦ2において、炭素原子とそれらを置換するヘテロ原子の合計数は４０を越えず；
Ｐ7およびＰ8は、他から独立して、場合によっては、メチル、メトキシ、シアノおよび／もしくはハロゲンで置換されていてもよい、アクリラート、メタクリラート、２−クロロアクリラート、２−フェニルアクリラート、アクリロイルフェニレン、アクリルアミド、メタクリルアミド、２−フェニルアクリルアミド、エポキシ、イタコン酸エステル、ビニルオキシ、ビニルオキシカルボニル、スチリル、マレアート、フマラートまたはシンナマートから選択される架橋性基を表し；
ｑ′は、０または１であり；そして
ｌ′、ｏ′およびｐ′は、ｌ′＋ｏ′＋ｐ′≧１であるという前提で、０または１であり；ｑ′が０であるとき、ｏ′およびｐ′が０であり、そしてＦ1は、場合によっては、フッ素、塩素、炭素原子１〜６個を有する直鎖状もしくは分岐状のアルキルまたはシアノによってモノもしくはポリ置換されている直鎖状アルキル基を表し、その１個もしくは２個以上の隣接しないＣＨ2基が、−Ｏ−、−ＣＯＯ−、−ＯＯＣ−、−ＮＲ3−、−ＮＲ3−ＣＯ−、−ＣＯ−ＮＲ3−、−ＮＲ3−ＣＯＯ−、−ＯＣＯ−ＮＲ3−、−ＮＲ3−ＣＯ−ＮＲ3−、−ＣＨ＝ＣＨ−、−Ｃ≡Ｃ−、−Ｏ−ＣＯＯ−から選択される結合原子もしくは基で、または式：
【化６】
0004832639.tif 000012
の鎖で置き換えられていてもよい）
の化合物であることを特徴とする、方法。
【発明の詳細な説明】
【０００１】
本発明は、光硬化性で中間相形成性の混合物、およびこのような混合物をその硬化した状態で有する、光学的または電気光学的装置に関する。
【０００２】
異方性薄膜は、たとえば、光学的位相差板、コレステリックカラーフィルタ、偏光干渉フィルタ、誘電鏡、液晶ディスプレイの可視角度を拡大するための位相差フィルム、光学的セキュリティ素子（コピー防止装置）、導波路成分（χ2結合あり、またはなし）などのような、非常に広い範囲の光学的または電気光学的装置および要素に用いられる。このような異方性薄膜を製造するひとつの方法は、液晶ポリマーまたは液晶モノマーを、適切に用意された基質に、スピンコートによって塗布することからなる、実施においてエレガントで効果的な方法である。液晶モノマーの場合、該モノマーは、続いて液晶相（ＬＣ相）中で架橋する。このような光学的要素は、以下、ＬＣＰフィルムといい、特定の課題を満足させることができる（ＬＣＰは、液晶ポリマー；単層または多層を包含するフィルムを示す）。
【０００３】
このようなＬＣＰフィルムの製造には、一般に、特定数の中間相形成性モノマーを、通常、（光）開始剤とともに、目的に適した溶媒に溶解する。このような液晶混合物の基本的な考えは、融点、透明点、光学的異方性、粘度などのような、特定の物理的性質を、所望の値に設定することである。混合物に含有される液晶成分の組み合わされた効果は、結果として、液晶混合物に、個々の液晶成分によっては到達できない性質をもたせることである。この例が、共晶であって、換言すれば、個々の液晶成分の濃度に応じて、最低の融点を見出すことである。一般に、液晶混合物は、１個または２個以上の所望の物理的性質を、満足に最適化することができる。
【０００４】
ろ過の後に、溶液を、ついで、スピンコートまたは他のコーティング技術によって、配向層とともに作製し、清浄にした基質板（ガラス、シリコンウェーハ、金属）に塗布することができる。配向層について、主として知られている方法は、ＬＰＰ（直鎖状光重合、すなわち光によって配向したポリマー網状体）、ラビングしたポリイミド、または角度をつけて気相蒸着したＳｉＯxのようなものが用いられる。このようにして製造されたＬＣＰフィルムを、ついで、たとえばＵＶランプの手段によって乾燥（溶媒除去）して架橋する。このようなＬＣＰフィルムは、光学軸が下地の配向層によって、または印加された電場によって決定される光学的異方性によって特徴づけられる。配向はまた、ＬＰＰ配向層を用いることにより、空間的に構造化することもできる。
【０００５】
この方法の不利な点は、架橋後に、いわゆる傾斜ドメインの形成が、しばしば観察されることである。傾斜ドメインは、光学軸と同じ配向を有するが、逆の傾斜の角度を有するＬＣＰ領域に隣接する。このような傾斜ドメインは、しばしば、欠損および効率損失の原因となる。たとえば、導波路では、それらは散乱損失を増し、光学フィルタでは、コントラスト、換言すると暗い状態が逆に影響される。特に、ＬＣＰ位相差層が、同時に、大きさと方向に関して正確に限定する傾斜の角度が一般に存在しなければならない、液晶セルの配向層として働く場合は、傾斜ドメインを許容することはできない。
【０００６】
今や、液晶モノマーの混合物が、さらに少なくとも１種のさらなる化合物（それは、一方では光重合可能であり、しかし他方では非液晶性（すなわち、非中間相形成性または等方性）である）を含有するとき、予期しなかったことに、ＬＣＰ層の記載された製造において、傾斜ドメインの形成が起こらないことが見出された。このような混合物から製造されたＬＣＰフィルムは、熱または光化学安定性を、感知される程度に減ずることなく、特に高いコントラストにより、そして均一な空間（側面）角依存性によって、特に際立っている。
【０００７】
原則的に、等方性化合物を液晶混合物に添加することは、量が増加するにつれて、その結果として混合物の中間相領域が著しく減少するので、望ましくない。しかしながら、コレステリック相またはキラルなスメチック相のようなキラルな液晶相を達成するために、そしてそれ自体が液晶である適切な光学活性の添加剤が得られないときは、実際には、光学活性化合物の形態の等方性添加剤が用いられる。しかしながら、液晶ポリマー網状構造中の傾斜ドメインを抑制するために、等方性モノマーを使用することは、今まで知られていない。
【０００８】
中間相の低下を抑制するために、言及される、既知の等方性の光学活性ドーピング剤は、液晶の結晶構造にできるだけ近い化学構造を有し、換言すれば、それは、一般に、少なくとも２個の、大部分は６員環を含有する。反対に、本発明によって混合物中に存在する等方性化合物は、化学構造からは、液晶化合物の一般的な構造の原理からできるだけ異なり、換言すれば、多くとも１個の、６員環である必要はない環を有するか、または、好ましくは環をまったく有しないときに、傾斜ドメインの抑制に特に効果的である。それに加えて、これらの等方性添加剤は、光学活性を必要としない。それゆえ、一般に、非キラルか、またはキラルなラセミ化合物が好ましく；しかし原則的には、多くとも１個の環を有する、等方性で光学活性な化合物もまた、用いることができる。
【０００９】
したがって、本発明は、それぞれ少なくとも２個の末端重合性基を有する少なくとも２種の液晶モノマー、および脂環式または芳香族の構造単位を有さないか、または多くとも１個有し、そして少なくとも１個の末端重合性基を有する、少なくとも１種の非液晶性モノマーを含有し、光重合によって架橋しうる液晶混合物；ならびにそのような混合物を、その架橋した状態で有する、光学的もしくは電気光学的装置、および架橋した状態のそのような混合物の、光学的もしくは電気光学的装置への応用に関する。
【００１０】
液晶モノマーが、後に架橋工程の間に、充分な安定性で配向の固定を保持する架橋生成物を形成するために、それぞれの液晶モノマーの、最少２個の末端重合性基（そしてそれゆえ分子を少なくとも２個の点で固定する可能性）が、あらかじめ存在することが必要である。しかし、非液晶性モノマーは、特別に配向する必要がないので、この場合、１個の末端重合性基で充分である。
【００１１】
原則として、本発明によってもたらされる、傾斜ドメインを抑制する効果は、非重合性の等方性添加剤の混合によっても達成される。しかしながら、この場合、後に、その上に存在する液晶物質を通して、拡散または溶出する危険性があり、これは、少なくとも１個の重合性基の存在によって防止される。
【００１２】
今までの経験は、概して、脂環式または芳香族の構造単位を、有さないか、多くとも１個有する非液晶性モノマーは、所望の明瞭な効果を達成するためには、少なくとも１重量％の比率で存在しなければならないことを示している。特に良好な結果は、しばしば、少なくとも５重量％の比率からのみ得られる。
【００１３】
一方、液晶混合物中の成分としての等方性モノマーの存在は、その濃度が増加するにつれて、液晶相領域が著しく現象するという影響があり、その結果、その濃度は、一般に５０％を越えられないという上限を有する。
【００１４】
それぞれ少なくとも１個の末端重合性基を有する、２種または３種以上の異なる非液晶性のモノマー性化合物が存在してもよいことが、理解されるであろう。
【００１５】
混合液中、少なくとも２種の液晶モノマーが、一般式Ｉ：
【００１６】
【化６】
0004832639.tif 000002
【００１７】
（式中、
Ｍは、少なくとも２個の６員環を含有する中間相形成性基を表し、
Ｓ1およびＳ2は、同一または異なるスペーサー基を表し、
Ｐ1およびＰ2は、重合性基を表し、そして
ｍおよびｎは、他から独立して、１または２である）
の化合物にそれぞれ相当し、そして
少なくとも１種の非液晶性モノマーが、一般式II：
【００１８】
【化７】
0004832639.tif 000003
【００１９】
（式中、
Ｑは、多くとも１個の脂環式または芳香族の環を含有する、２〜４０個の炭素原子を有する有機基を表し、
Ｐ3およびＰ4は、重合性基を表し、そして
ｍ′およびｎ′は、他から独立して、ｍ′＋ｎ′≧１であるという前提で、０〜２を表す）
の化合物に相当する液晶混合物が、特に考慮に入れられる。
【００２０】
特に好ましいのは、少なくとも２種の液晶モノマーが、一般式III：
【００２１】
【化８】
0004832639.tif 000004
【００２２】
（式中、
Ｃ1、Ｃ2、Ｃ3、Ｃ4およびＣ5は、他から独立して、非置換か、あるいは場合によっては、フッ素、塩素、シアノ、ニトロ、または２４個までの炭素原子を有するアルキル基もしくはアルケニル基（１個もしくは２個以上の隣接しないＣＨ2基が、基−Ｏ−、−Ｓ−、−ＣＯ−、−Ｏ−ＣＯ−、−ＣＯ−Ｏ−および−Ｃ≡Ｃ−からなる群より選ばれる基で置き換えられていてもよく、１個もしくは２個以上の水素原子が、場合によっては、フッ素、塩素、シアノで置換されていてもよい）で置換されている１，４−フェニレン；あるいはピリジン−２，５−ジイル、ピリミジン−２，５−ジイル、シクロヘキサン−１，４−ジイル、１，３−ジオキサン−２，５−ジイル、ピペリジン−１，４−ジイル、ピペラジン−１，４−ジイル、チオフェニレン、ナフチレン、〔１，３，４〕チアジアゾール類または〔１，３，４〕オキサジアゾール類を表し；
Ｚ1、Ｚ2、Ｚ3、Ｚ4およびＺ5は、他から独立して、共有単結合、−（ＣＨ2)t−、−Ｏ−、−ＣＯ−、−ＣＯ−Ｏ−、−Ｏ−ＯＣ−、−ＮＲ1−、−ＣＯ−ＮＲ1−、−ＮＲ1−ＣＯ−、−（ＣＨ2)u−Ｏ−、−Ｏ−（ＣＨ2)u−、（ＣＨ2)u−ＮＲ1−または−ＮＲ1−（ＣＨ2)u−（式中、Ｒ1は、水素または低級アルキルを表し、ｔは、１〜４の整数であり、ｕは、１〜３の整数である）を表し；
Ｓ3は、共有単結合であるか、あるいは場合によっては、フッ素、塩素、低級アルキルまたはシアノによってモノもしくはポリ置換されている直鎖状アルキレン基−（ＣＨ2)r−、あるいは式−（ＣＨ2)r−Ｌ1−（ＣＨ2)s−Ｌ2−の原子鎖（式中、Ｌ1およびＬ2は、それぞれ他から独立して、単結合であるか、または−Ｏ−、−ＣＯＯ−、−ＯＯＣ−、−ＮＲ2−、−ＮＲ2−ＣＯ−、−ＣＯ−ＮＲ2−、−ＮＲ2−ＣＯＯ−、−ＯＣＯ−ＮＲ2−、−ＮＲ2−ＣＯ−ＮＲ2−、−ＣＨ＝ＣＨ−、−Ｃ≡Ｃ−、−Ｏ−ＣＯＯ−（式中、Ｒ2は、水素または低級アルキルを表し、ｒおよびｓは、ｒ＋ｓ≦２４という前提で、それぞれ１〜２０の整数である）のような結合官能基であることができる）のようなスペーサー単位を表し；
Ｓ4は、共有単結合であるか、あるいは場合によっては、フッ素、塩素、低級アルキルまたはシアノによってモノもしくはポリ置換されている直鎖状アルキレン基−（ＣＨ2)r−、あるいは式−（ＣＨ2)r−Ｌ1−（ＣＨ2)s−Ｌ2−の原子鎖（式中、Ｌ1およびＬ2は、それぞれ他から独立して、単結合であるか、または−Ｏ−、−ＣＯＯ−、−ＯＯＣ−、−ＮＲ2−、−ＮＲ2−ＣＯ−、−ＣＯ−ＮＲ2−、−ＮＲ2−ＣＯＯ−、−ＯＣＯ−ＮＲ2−、−ＮＲ2−ＣＯ−ＮＲ2−、−ＣＨ＝ＣＨ−、−Ｃ≡Ｃ−、−Ｏ−ＣＯＯ−（式中、Ｒ2は、水素または低級アルキルを表し、ｒおよびｓは、ｒ＋ｓ≦２４という前提で、それぞれ１〜２０の整数である）のような結合官能基であることができる）のようなスペーサー単位を表し；
ｏ、ｐおよびｑは、０または１であり；
Ｐ5およびＰ6は、他から独立して、場合によっては、メチル、メトキシ、シアノおよび／もしくはハロゲンで置換されていてもよい、アクリラート、メタクリラート、２−クロロアクリラート、２−フェニルアクリラート、アクリロイルフェニレン、アクリルアミド、メタクリルアミド、２−フェニルアクリルアミド、エポキシ、イタコン酸エステル類、ビニルオキシ、ビニルオキシカルボニル、スチレン誘導体、マレイン酸誘導体、フマル酸誘導体またはケイ皮酸誘導体のような架橋性基を表す）
の化合物にそれぞれ相当する液晶混合物である。
【００２３】
本発明の文脈において、表現「低級アルキル」は、たとえば、メチル、エチル、プロピル、ブチル、イソブチル、tert−ブチル、ペンチル、ヘキシルのような、炭素原子１〜６個を有する直鎖状または分岐状のアルキル基を包含するが、特にメチル、エチル、プロピルまたはブチルを包含する。
【００２４】
また特に好ましいのは、少なくとも１種の非液晶性モノマーが、一般式IV：
【００２５】
【化９】
0004832639.tif 000005
【００２６】
（式中、
Ｄは、シクロプロパンジイル、シクロブタンジイル、シクロペンタンジイル、シクロヘキサンジイル、１，３−ジオキサン−２，５−ジイル；非置換か、あるいは場合によっては、フッ素、塩素、シアノ、ニトロ、または２４個までの炭素原子を有するアルキル基もしくはアルケニル基（１個もしくは２個以上の隣接しないＣＨ2基が、基−Ｏ−、−Ｓ−、−ＣＯ−、−Ｏ−ＣＯ−、−ＣＯ−Ｏ−および−Ｃ≡Ｃ−からなる群より選ばれる基で置き換えられていてもよく、１個もしくは２個以上の水素原子が、場合によっては、フッ素、塩素、シアノで置換されていてもよい）で置換されているフェニレン；あるいはピリジン−２，５−ジイル、ピリミジン−２，５−ジイル、シクロヘキサン−１，４−ジイル、１，３−ジオキサン−２，５−ジイル、ピペリジン−１，４−ジイル、ピペラジン−１，４−ジイル、チオフェニレン、〔１，３，４〕チアジアゾール類または〔１，３，４〕オキサジアゾール類を表し；
Ｆ1およびＦ2は、場合によっては、フッ素、塩素、低級アルキルまたはシアノによってモノもしくはポリ置換されていて、その１個もしくは２個以上の隣接しないＣＨ2基が、−Ｏ−、−ＣＯＯ−、−ＯＯＣ−、−ＮＲ3−、−ＮＲ3−ＣＯ−、−ＣＯ−ＮＲ3−、−ＮＲ3−ＣＯＯ−、−ＯＣＯ−ＮＲ3−、−ＮＲ3−ＣＯ−ＮＲ3−、−ＣＨ＝ＣＨ−、−Ｃ≡Ｃ−、−Ｏ−ＣＯＯ−のような結合原子もしくは基で、または式：
【００２７】
【化１０】
0004832639.tif 000006
【００２８】
の鎖で置き換えられていてもよい直鎖状アルキレン基を表し、
ここで、Ｒ3は、水素または低級アルキルを表し、ｗ′は、０〜２の整数であるが、但し、Ｆ1およびＦ2において、炭素原子とそれらを置換するヘテロ原子の合計数は４０を越えず；
Ｐ7およびＰ8は、他から独立して、場合によっては、メチル、メトキシ、シアノおよび／もしくはハロゲンで置換されていてもよい、アクリラート、メタクリラート、２−クロロアクリラート、２−フェニルアクリラート、アクリロイルフェニレン、アクリルアミド、メタクリルアミド、２−フェニルアクリルアミド、エポキシ、イタコン酸エステル類、ビニルオキシ、ビニルオキシカルボニル、スチレン誘導体、マレイン酸誘導体、フマル酸誘導体またはケイ皮酸誘導体のような架橋性基を表し；
ｑ′は、０または１であり；そして
ｌ′、ｏ′およびｐ′は、ｌ′＋ｏ′＋ｐ′≧１であるという前提で、０または１である）
の化合物に相当する液晶混合物である。
【００２９】
下記の実施例によって、本発明をさらに説明する。
【００３０】
実施例：  ＬＣＰフィルムのための混合物
この実施例では、下記の成分を、架橋性モノマーとして用いた。
Ｍｏｎ１：
２，５−ビス−〔４−（６−アクリロイルオキシヘキシルオキシ）ベンゾイルオキシ〕安息香酸ペンチルエステル
Ｍｏｎ２：
４−（６−アクリロイルオキシヘキシルオキシ）安息香酸−４−〔trans−４−〔４−（６−アクリロイルオキシヘキシルオキシ）ベンゾイルオキシ〕シクロヘキシル〕フェニルエステル
Ｍｏｎ３：
１，４−ジアクリロイルブタン
【００３１】
Ｍｏｎ１とＭｏｎ２は液晶であるが、Ｍｏｎ３はそうではない。
【００３２】
Ｍｏｎ１が７０重量％、Ｍｏｎ２が２０重量％、Ｍｏｎ３が１０重量％の混合物を調製した。Ciba-Geigyからの光開始剤Irgacure 369を２重量％と、２，６−ジ−tert−ブチル−ｐ−クレゾール２重量％を加え、アニソール（２０重量％）に溶解し、ついでガラス板に、１，０００回転／minでスピンコートによって塗布した。ガラス板は、あらかじめ４−〔４−〔６−（２−メタクリロイルオキシ）ヘキシルオキシ〕ベンゾイルオキシ〕−３−メトキシケイ皮酸メチルエステルで被覆し、直線偏光した光を照射して、ＬＰＰ配向層を製造したものである。ついで真空キャビネット中で、新しい層に、真空中、常温でキセノン光を照射した。そのようにして製造されたＬＣＰ層は、傾斜ドメインのない、架橋したネマチック構造を有していた。該層は、位相差層として用いることができた。
【００３３】
Ｍｏｎ３の代わりに、特に下記を非液晶成分として用いることが可能であった。
１，４−ジビニルオキシブタン
１，６−ジビニルオキシヘキサン
１，６−ジアクリロイルオキシヘキサン
１，４−ジ（２−メチルアクリロイルオキシ）ブタン
１，６−ジ（２−メチルアクリロイルオキシ）ヘキサン
１，６−ジ（２−メチルアクリロイルオキシ）−２，２，３，３，４，４，５，５−オクタフルオロヘキサン
１，４−ビス（アクリロイル）ピペラジン
１，８−ジアクリロイルオキシオクタン
１，８−ジ（２−メチルアクリロイルオキシ）オクタン
２，９−ジアクリロイルオキシデカン
アクリル酸ペンチルエステル
メタクリル酸ペンチルエステル
アクリル酸ヘキシルエステル
アクリル酸デシルエステル
１，４−trans−ジ（アクリロイルオキシメチル）シクロヘキサン
１，４−trans−ジ〔（６−アクリロイルオキシヘキシルオキシ）メチル〕シクロヘキサン
【００３４】
少なくとも２個の重合性末端基を有する液晶成分の、非常に多くの例が、文献に、たとえばAdv. Mater. 5, 107 (1993)、Mol. Cryst. 307, 111 (1997)、J. Mat. Chem. 5, 2047 (1995)または特許明細書US 5 593 617およびUS 5 567 349に記載されている。